(57)【要約】      （修正有）【課題】広い範囲に分散して作業をしている各作業員に対して確実に警報を伝達することができ、迅速に作業員の退避行動を促すことが可能な警報装置を提供する。【解決手段】警報装置１６は（ａ）操作部２８ａと、操作部２８ａが操作されると緊急信号を生成し該緊急信号を無線送信する送信側制御部と、を有する送信側装置３６と、（ｂ）ＬＥＤ５８及びブザー５６と、緊急信号を受信するとこれらＬＥＤ５８及びブザー５６を作動させる受信側制御部と、を有する受信側装置４２と、を備えている。また受信側装置４２の筐体６０，６２には、ヘルメットの一部に係止可能な係止部材６４が設けてある。【選択図】図１
0003202142.tif 000002
【実用新案登録請求の範囲】
【請求項１】
（ａ）操作部と、該操作部が操作されると緊急信号を生成し該緊急信号を無線送信する送信側制御部と、を有する送信側装置と、
（ｂ）発光体及び発音体と、前記緊急信号を受信するとこれら発光体及び発音体を作動させる受信側制御部と、を有する受信側装置と、を備えた警報装置であって、
前記受信側装置の筐体には、ヘルメットの一部に係止可能な係止部材が設けてあることを特徴とする警報装置。
【請求項２】
請求項１において、前記発光体は、前記発音体が収納されている第１の筐体とは別体の第２の筐体に収納されていることを特徴とする警報装置。
【請求項３】
請求項２において、前記発光体が収納されている前記第２の筐体の外面と該外面に設けられた前記係止部材との間には、前記ヘルメットの鍔部を挿入可能とする凹所が形成され、前記発光体は、該発光体からの光が前記外面に対し斜めに出射されるように、前記第２の筐体に収納されていることを特徴とする警報装置。
【請求項４】
請求項１〜３の何れかにおいて、前記送信側装置の前記送信側制御部は、誘導旗若しくは誘導棒の、使用者が把持する柄部の内部に収納されており、該柄部の外表面に前記操作部が設けられていることを特徴とする警報装置。
【請求項５】
請求項４において、前記送信側装置が、前記柄部の内部に収納され且つ前記操作部が操作されることにより警報音を発する発音体を有していることを特徴とする警報装置。
【考案の詳細な説明】
【技術分野】
【０００１】
この考案は警報装置に関し、特に高速道路において道路作業を行っている作業者の安全を確保するための警報装置に関する。
【背景技術】
【０００２】
道路工事や交通事故の復旧作業等の道路作業においては、道路の車線を規制して行われることがあり、かかる場合には、交通の安全や円滑化と、道路作業を行っている作業員の安全を図るため、規制区域を矢印板やラバーコーンで示すとともに、誘導員が誘導旗や誘導棒で車両を誘導することが行われている。
【０００３】
しかしながら、運転者の前方不注意等により規制区域内に車両が進入してくる場合がある。特に高速で車両が通行する高速道路においては、作業員の退避行動が間に合わず、作業員の安全を図れない虞がある。
【０００４】
かかる問題に対処するため、下記特許文献１においては、誘導員が使用する誘導旗の柄部に警報音を発する警報音発生部を収納して、緊急時には警報音を発して道路作業員の退避行動を促すようになした点が開示されている。
【先行技術文献】
【特許文献】
【０００５】
【特許文献１】実用新案登録第３１６９８２０号
【考案の概要】
【考案が解決しようとする課題】
【０００６】
しかしながら、道路作業は道路に沿って広い範囲に分散して作業が行なわれることも多く、このような場合には特許文献１記載の誘導旗から発せられる警報音が離れた場所で作業をしている作業員には届き難いという問題があった。
【０００７】
この考案は、上述した問題を解決するものであり、広い範囲に分散して作業をしている各作業員に対して確実に警報を伝達することができ、迅速に作業員の退避行動を促すことが可能な警報装置を提供することを目的とする。
【課題を解決するための手段】
【０００８】
而して請求項１のものは、（ａ）操作部と、該操作部が操作されると緊急信号を生成し該緊急信号を無線送信する送信側制御部と、を有する送信側装置と、（ｂ）発光体及び発音体と、前記緊急信号を受信するとこれら発光体及び発音体を作動させる受信側制御部と、を有する受信側装置と、を備えた警報装置であって、前記受信側装置の筐体には、ヘルメットの一部に係止可能な係止部材が設けてあることを特徴とする。
【０００９】
請求項２のものは、請求項１において、前記発光体は、前記発音体が収納されている第１の筐体とは別体の第２の筐体に収納されていることを特徴とする。
【００１０】
請求項３のものは、請求項２において、前記発光体が収納されている前記第２の筐体の外面と該外面に設けられた前記係止部材との間には、前記ヘルメットの鍔部を挿入可能とする凹所が形成され、前記発光体は、該発光体からの光が前記外面に対し斜めに出射されるように、前記第２の筐体に収納されていることを特徴とする。
【００１１】
請求項４のものは、請求項１〜３の何れかにおいて、前記送信側装置の前記送信側制御部は、誘導旗若しくは誘導棒の、使用者が把持する柄部の内部に収納されており、該柄部の外表面に前記操作部が設けられていることを特徴とする。
【００１２】
請求項５のものは、請求項４において、前記送信側装置が、前記柄部の内部に収納され且つ前記操作部が操作されることにより警報音を発する発音体を有していることを特徴とする。
【００１３】
以上のように本考案は、操作部が操作されると緊急信号を生成し緊急信号を無線送信する送信側装置と、緊急信号を受信すると発光体及び発音体を作動させる受信側装置とを備えた警報装置である。本考案によれば誘導員が送信側装置を操作し緊急信号を無線送信することで、離れた場所で作業している作業員に対しても警報を行うことができる。
本考案の受信側装置は発光体と発音体とを備えており、騒音などにより発音体からの警報音が聞き取り難い場合であっても発光体からの光の点灯又は点滅により作業者に警報を伝達することができる。
【００１４】
本考案ではかかる受信側装置にヘルメットの一部に係止可能な係止部材が設けてあり、受信側装置をヘルメットに位置固定することで、作業者は音又は光による警報の認知が容易になる。また受信側装置が通常の作業の妨げになることもない。
【００１５】
本考案では、受信側装置の発光体を、発音体が収納されている第１の筐体とは別体の第２の筐体に収納されておくことができる（請求項２）。かかる請求項２によれば警報を作業者に認知させ易くするため発音体をヘルメットの側頭部に、発光体をヘルメット前側の鍔部にそれぞれ分離して位置させることができる。
【００１６】
ここで第２の筐体の外面と外面に設けられた係止部材との間に、ヘルメットの鍔部を挿入可能とする凹所を形成するとともに、発光体からの光がこの外面に対し斜めに出射されるように、発光体を第２の筐体に収納することが望ましい（請求項３）。
このようにすれば第２の筐体を介してヘルメットの鍔部に装着された発光体からの光は作業者の目に向かって出射されるため、作業者は光による警報を容易に視認することができる。
【００１７】
本考案ではまた、送信側装置の送信側制御部を誘導旗若しくは誘導棒の、使用者が把持する柄部の内部に収納し、柄部の外表面に操作部を設けることができる（請求項４）。
かかる請求項４によれば誘導旗若しくは誘導棒から緊急信号を送信することができるため、誘導員が別途に送信側装置を携帯する必要がない。
【００１８】
本考案では、更に柄部の内部に収納され且つ操作部が操作されることにより警報音を発する発音体を送信側装置に設けておくことができる（請求項５）。かかる請求項５によれば緊急信号の無線送信と同時に、受信側装置を装着していない作業員に対しても送信側装置からの警報音により警報を行うことができる。
【考案の効果】
【００１９】
以上のような本考案によれば、広い範囲に分散して作業をしている各作業員に対して確実に警報を伝達することができ、迅速に作業員の退避行動を促すことが可能な警報装置を提供することができる。
【図面の簡単な説明】
【００２０】
【図１】本考案の一実施形態である警報装置を誘導旗とともに示した図である。
【図２】同誘導旗の柄部を含む部分の断面図である。
【図３】同実施形態の送信側装置及び受信側装置のブロック図である。
【図４】受信側装置をヘルメットに取り付けた状態を示した平面図である。
【図５】受信側装置をヘルメットに取り付けた状態を示した側面図である。
【図６】受信側装置の第１の筐体を示した図である。
【図７】受信側装置の第２の筐体を示した図である。
【図８】本考案の他の実施形態の送信側装置を示した図である。
【考案を実施するための形態】
【００２１】
以下、本考案の一実施形態を図面に基づいて説明する。
図１において、１０は誘導旗で、誘導員等の使用者が把持する柄部１２と、柄部１２の一端側から延設された旗棒部１３と、旗棒部１３に取着された旗本体部１４とから構成されている。
柄部１２の内部には、緊急時に緊急信号を無線送信するための送信側装置３６を構成する部材が収納されている。尚３４は警報音を発する電子式ブザーである。
【００２２】
一方、４２は緊急信号を受信して作業者に警報する受信側装置である。受信側装置４２は二つの筐体に分かれており、第１の筐体６０には後述する受信側制御部４４、警報音を発する発音体としての電子式ブザー５６等が収納されている。第１の筐体６０とは別体に設けられた第２の筐体６２には、光を点灯又は点滅させる発光体としてのＬＥＤ５８が収納されている。かかるＬＥＤ５８は第１の筐体６０内の受信側制御部４４と配線で接続されている。本例では送信側装置３６と受信側装置４２により警報装置１６が構成されている。尚、受信側装置４２は必要に応じて複数設けておくことができる。
【００２３】
図２は誘導旗１０の柄部１２を含む部分の断面図である。
誘導旗１０の柄部１２は、合成樹脂製で、図２に示すように、旗棒部１３が延設された側とは反対側である下側が拡径した略円筒状をなしている。詳しくは、柄部１２は略円筒状の柄部本体２１と、柄部本体２１の上端側の開口部に取着された円環状の上端側環状部材２２と、柄部本体２１の下端側の開口部に取着された円環状の下端側環状部材２３とを備えている。柄部本体２１は上側円筒部２１ａと上側円筒部２１ａよりも拡径された下側円筒部２１ｂとを有し、上側円筒部２１ａの内周壁には、内周壁が形成する円を４等分する位置に、それぞれリブ２７が突設されている。上端側環状部材２２は、Ｏリング２４を間に挟んで、柄部本体２１の上端側の開口部に螺子止めされ、柄部１２の上端側開口部２５を形成している。下端側環状部材２３は、上端側外周壁に螺子溝２３ｂが形成され、柄部本体２１の下端側内周壁に形成された螺子溝２１ｃに螺合されることにより、柄部本体２１の下端側の開口部に取着され、柄部１２の下端側開口部２６を形成している。
【００２４】
柄部１２の内部には本例の送信側装置３６を構成する各部材が収納されている。２８は上側円筒部２１ａの上端近傍に設けられたスイッチである。スイッチ２８は、柄部１２の外周面に突設された操作部２８ａを有している。
柄部１２の外周面には、誤って操作部２８ａを押してしまうことを防止するため、操作部２８ａを囲繞して、操作部２８ａよりも高く柄部１２の外周面から突出する四角環状の凸部２９が形成されている。
３０は上側円筒部２１ａに収納された電池で、上側円筒部２１ａの内面から内向きに突出するリブ２７により径方向の位置が固定されている。
【００２５】
上側円筒部２１ａに続く下側円筒部２１ｂの内部には、緊急信号を生成するとともに緊急信号を無線送信する送信側制御部３２と警報音を発する電子式ブザー３４が収納されている。尚、３１は電池３０と送信側制御部３２との間に設けられたクッション部材で、電池３０及び送信側制御部３２の柄部１２内での移動を防止するためのものである。
ブザー３４は、交通量が多い状態で４０〜５０ｍ程度離れた場所でも音が聞こえるように大音量を発生可能なものであり、ここでは、１ｍ離れた位置で１３０ｄＢ程度の音を発生可能なものとする。
本例では柄部１２の内部に収容されたスイッチ２８、送信側制御部３２、電池３０、ブザー３４が送信側装置３６を構成している。
【００２６】
図３は送信側装置３６及び受信側装置４２のブロック図である。
送信側装置３６において、送信側制御部３２は無線機能を備えたマイクロコンピューターを主要素とし、内部に信号発生手段３７、変調手段３８、無線出力手段３９、ブザー作動手段４０を備えている。
送信側制御部３２にはスイッチ２８を介して電池３０が接続され、また送信側制御部３２には警報音を発する発音体としてのブザー３４が接続されている。
緊急時に誘導員等の使用者により操作部２８ａが操作されると、電池３０から送信側制御部３２に電力が供給される。すると送信側制御部３２では、信号発生手段３７にて緊急信号が生成され、生成された緊急信号は変調手段３８にて変調された後に無線出力手段３９により無線送信される。
一方、ブザー３４にはブザー作動手段４０を介して電力が供給され、ブザー３４は警報音を発する。
【００２７】
受信側装置４２において、４４は無線機能を備えたマイクロコンピューターを主要素とした受信側制御部で、内部に受信手段４６、信号検出手段４７、ＬＥＤ作動手段４８、ブザー作動手段４９を備えている。
受信側制御部４４にはスイッチ５２を介して電池５４が接続され、また警報を発する発音体としてのブザー５６及び発光体としてのＬＥＤ５８が接続されている。
【００２８】
受信側装置４２を構成する要素のうち、ＬＥＤ５８以外のものは第１の筐体６０に収納され、ＬＥＤ５８は受信側制御部４４と接続された状態で第１の筐体６０とは別体に設けられた第２の筐体６２に収納されている。
【００２９】
受信側装置４２はスイッチ５２をＯＮ状態にすることで、電池５４から受信側制御部４４に電力が供給され、送信側装置３６からの緊急信号の受信が可能となる。そして受信手段４６にて受信した受信波の中から、信号検出手段４７にて送信側装置３６から送信された所定の緊急信号が検出された場合、ブザー作動手段４９を介してブザー５６に電力が供給され、ブザー５６は警報音を発する。またこれと同時にＬＥＤ作動手段４８を介して電力がＬＥＤ５８に供給され、ＬＥＤ５８は警報のため光を点灯又は点滅させる。
【００３０】
送信側装置３６と受信側装置４２との間の無線通信はＩＥＥＥ８０２．１５．４の規格に準拠した２．４Ｇの周波数帯を利用して行なわれる。本例では送信側装置３６から約２００ｍ離れた受信側装置４２を作動させることが可能である。尚、本例では必要に応じて送信側装置３６と受信側装置４２との間に中継器を設置することで、無線通信可能な距離を長くすることができる。
尚、本例では送信側制御部３２及び受信側制御部４４に図示を省略したＤＩＰスイッチが設けられており、かかるＤＩＰスイッチにより通信用チャンネルの切り替えを行なうことができる。例えば高速道路の上り車線と下り車線とで平行して作業が行われている場合に、通信用に同じ周波数を使用すると混線が生じるおそれもある。このような場合にはそれぞれが異なる周波数のチャンネルを設定することで電波の干渉や混線を防止することができる。
【００３１】
以上のように本例では、緊急時に誘導者により操作部２８ａが操作されると誘導旗１０の柄部１２に収納されたブザー３４にて警報音が発せられる。またこれと同時に緊急信号が無線送信され、誘導旗１０とは離れた距離にある受信側装置４２においてもブザー５６にて警報音が発せられ、更にＬＥＤ５８が点灯又は点滅する。また複数の受信側装置４２を設けている場合には、複数の受信側装置４２において同時にブザー５６及びＬＥＤ５８の警報が発せられる。
【００３２】
図４，図５は、本実施形態の受信側装置４２の第１の筐体６０及び第２の筐体６２を作業用のヘルメット７０に取り付けた状態を示した図である。ヘルメット７０の側頭部に取り付けられている第１の筐体６０の外面からは、係止部材としての板状係止片６４が下向きに延びだしている。図６に示すように、板状係止片６４は基端側に対して先端側（図中下側）の厚みが薄くなるように形成されている。
一方、ヘルメット７０の側頭部には、図示を省略する細長形状の貫通溝が形成されており、板状係止片６４をその先端側からこの貫通溝に挿入し、板厚の厚い基端側をヘルメット７０の貫通溝の縁部に当接させることで、第１の筐体６０がヘルメット７０の側頭部に位置固定される。
このようにブザー５６を内部に収納した第１の筐体６０をヘルメット７０の側頭部に取り付ければ作業者の耳の近くにブザー５６が配置されることとなり、警報音による警報が作業者に認知され易くなる。
【００３３】
ヘルメット７０の前方の鍔部７２には、ＬＥＤ５８が収納されている第２の筐体６２が取り付けられている。
図５（Ｂ）で示すように、鍔部７２に取り付けられた第２の筐体６２の図中上側の外面７４には、一端がこの外面７４と一体に成形され、他端が外面７４から離間している係止部材としての弾性片７６が設けられている。
外面７４と弾性片７６との間には外面７４に沿って延びる凹所７８が形成され、凹所７８は弾性片７６の他端側の開口からヘルメット７０の鍔部７２が挿入可能とされている。
凹所７８に挿入された鍔部７２は外面７４と弾性片７６とで挟持され、第２の筐体６２は外面７４が鍔部７２の下面と当接する状態で鍔部７２に位置固定される。
【００３４】
一方第２の筐体６２に収納されているＬＥＤ５８は、ＬＥＤ５８からの光が外面７４に対して斜めに出射されるように取り付けられている。詳しくは出射した光が進むにつれて外面７４から離間するように、ＬＥＤ５８は斜め下向きに取り付けられている。
このため本例によれば第２の筐体６２が鍔部７２に取り付けられた状態で、斜め下向きに取り付けられたＬＥＤ５８からの光は作業者の目の方向に出射されるので、ＬＥＤ５８からの光による警報が視認されやすくなる。尚、本例では図７で示すように第２の筐体６２に２つのＬＥＤ５８が並設されているが、ＬＥＤ５８の数は適宜変更可能である。
【００３５】
以上のように本実施形態によれば、誘導員が送信側装置３６を操作し緊急信号を無線送信することで、離れた場所で作業している作業員に対しても警報を行うことができる。
本実施形態の受信側装置４２はＬＥＤ５８とブザー５６とを備えており、騒音などによりブザー５６からの警報音が聞き取り難い場合であってもＬＥＤ５８からの光の点灯又は点滅により作業者に警報を伝達することができる。
【００３６】
本実施形態ではかかる受信側装置４２にヘルメット７０の一部に係止可能な係止部材６４又は７６が設けてあり、受信側装置４２をヘルメット７０に位置固定することで、作業者は音又は光による警報の認知が容易になる。また受信側装置４２が通常の作業の妨げになることもない。
【００３７】
本実施形態では、受信側装置４２のブザー５６とＬＥＤ５８とがそれぞれ別体の筐体に収納されており、ブザー５６をヘルメット７０の側頭部に、ＬＥＤ５８をヘルメット７０の前方の鍔部７２にそれぞれ分離して位置させることで、作業者に警報を認知させ易くすることができる。
【００３８】
本例では筐体６２の外面７４と弾性片７６との間でヘルメット７０の鍔部７２を挟持した状態でＬＥＤ５８からの光が斜め下向きに出射されるように、ＬＥＤ５８が筐体６２に取り付けられているため、作業者は光による警報を容易に視認することができる。
【００３９】
本実施形態ではまた、送信側装置３６の送信側制御部３２を誘導旗１０の柄部１２の内部に収納し、柄部１２の外表面に操作部２８ａを設けており、誘導員が誘導旗１０とは別途に送信側装置３６を携帯する必要がない。
【００４０】
本実施形態では、送信側装置３６が、柄部１２の内部に収納され且つ操作部２８ａが操作されることにより警報音を発するブザー３４を有しており、本例では緊急信号の無線送信を行うと同時に、受信側装置４２を装着していない作業員に対しても送信側装置３６のブザー３４からの警報音により警報を行うことができる。
【００４１】
以上本考案の実施形態を詳述したがこれはあくまで一例示である。例えば上記実施形態では送信側装置３６を構成する部材を誘導旗１０の柄部１２の内部に収納したが、誘導棒の柄部の内部に収納することも可能である。また図８で示すように操作部２８ａ及び送信側制御部３２を含む送信側装置３６を誘導旗若しくは誘導棒とは別体で構成することも可能である。
また受信側装置４２の発音体はブザーの他、スピーカー、ベル等を用いることも可能である等、本考案はその趣旨を逸脱しない範囲において種々変更を加えた態様で実施可能である。
【符号の説明】
【００４２】
１０  誘導旗
１２  柄部
１６  警報装置
２８ａ  操作部
３２  送信側制御部
３４，５６  ブザー（発音体）
３６  送信側装置
４２  受信側装置
４４  受信側制御部
５８  ＬＥＤ（発光体）
６０  第１の筐体
６２  第２の筐体
６４  板状係止片（係止部材）
７０  ヘルメット
７２  鍔部
７４  外面
７６  弾性片（係止部材）
７８  凹所
【図１】
0003202142.tif 000003
【図２】
0003202142.tif 000004
【図３】
0003202142.tif 000005
【図４】
0003202142.tif 000006
【図５】
0003202142.tif 000007
【図６】
0003202142.tif 000008
【図７】
0003202142.tif 000009
【図８】
0003202142.tif 000010